(57)【要約】【課題】特注品扱いでその交換品の手当てに時間を要するのが通常である高機能タイプのかご位置個別表示装置が乗りかご内に設けられているエレベータについて、その装置の故障時への対応を迅速に行えるようにする。【解決手段】現在のかご停止階や次のかご停止階の個別的な案内表示を行えるようにされたかご位置個別表示装置が乗りかご内に設けられているエレベータについて、かご位置個別表示装置として、液晶方式の高機能タイプかご位置個別表示装置６ＬＣと発光ダイオード方式の通常機能タイプかご位置個別表示装置６ＬＤを交換的に用いることができるようにし、高機能タイプかご位置個別表示装置が用いられている場合の故障時の対応を、故障の高機能タイプかご位置個別表示装置を通常機能タイプかご位置個別表示装置に交換することでなせるようにしている。【選択図】  図３
2008150171.tif 000002
【特許請求の範囲】
【請求項１】
現在のかご停止階や次のかご停止階の個別的な案内表示を行えるようにされたかご位置個別表示装置が乗りかご内に設けられているエレベータにおいて、
前記かご位置個別表示装置として、高機能タイプかご位置個別表示装置と通常機能タイプかご位置個別表示装置を交換的に用いることができるようにされ、前記高機能タイプかご位置個別表示装置が用いられている場合の故障時の対応を、故障の高機能タイプかご位置個別表示装置を前記通常機能タイプかご位置個別表示装置に交換することでなせるようにされていることを特徴とするエレベータ。
【請求項２】
かご内に行先階登録装置が設けられているエレベータにおいて、
前記行先階登録装置として、高機能タイプ行先階登録装置と通常機能タイプ行先階登録装置を交換的に用いることができるようにされ、前記高機能タイプ行先階登録装置が用いられている場合の故障時の対応を、故障の高機能タイプ行先階登録装置を前記通常機能タイプ行先階登録装置に交換することでなせるようにされていることを特徴とするエレベータ。
【請求項３】
乗りかご内に行先階登録装置組込み部が設けられているエレベータにおいて、
前記行先階登録装置組込み部には、高機能タイプ行先階登録装置と通常機能タイプ行先階登録装置が２重構造で組み込まれており、前記高機能タイプ行先階登録装置を使用している状態で当該高機能タイプ行先階登録装置が故障した際には、故障の高機能タイプ行先階登録装置を取り外すことで前記通常機能タイプ行先階登録装置を使用できるようにすることにより故障時の対応をなせるようにされていることを特徴とするエレベータ。
【発明の詳細な説明】
【技術分野】
【０００１】
本発明は、エレベータに係り、特にエレベータの乗りかご内に設けられているかご位置個別表示装置や行先階登録装置の改善に関する。
【背景技術】
【０００２】
エレベータの乗りかごには、かご位置表示装置や行先階登録装置が設けられている。かご位置表示装置は、現在のかご停止階や順次停止予定階あるいは乗りかごが次に停止する予定の階を表示してエレベータの利用者に知らせるのに機能する。こうしたかご位置表示装置には、一列に配列された階表示ランプの点滅で一覧的にかご位置表示を行う方式の装置があり、また現在のかご停止階や次のかご停止階の個別的な案内表示などを多彩な表示内容で行えるようにされた装置がある。ここでは、後者を仮にかご位置個別表示装置と呼ぶ。
【０００３】
かご位置個別表示装置は、多彩なかご位置表示を可能とすることができ、そのような表示が望まれる分野に設置されるエレベータで特に有用なものとして用いられる。このようなかご位置個別表示装置は、従来では発光ダイオード方式で構成されるのが一般的であった。しかし、発光ダイオード方式は、より多彩な表示を行えるようにするについて、表示画像の精細度に不十分なものがある。そのため、精細度の高い表示画像でより多彩な表示を可能とする高機能な方式、具体的には液晶方式や有機ＥＬ素子方式などを用いたかご位置個別表示装置を採用するケースが生じてきている。
【０００４】
こうしたことは、乗りかご内に設けられている行先階登録装置についてもいえる。すなわち従来の行先階登録装置は、押しボタンを押して行先階を登録する押しボタン方式が一般的であったが、最近は、行先階についての案内などといった多彩な表示を可能とする例えばタッチパネル方式のような入力デバイス方式で行先の登録を行えるようにした高機能な行先階登録装置を採用するケースが生じてきている。
【０００５】
なお、乗りかご内に設けられるかご位置表示装置や行先階登録装置については、例えば特許文献１〜特許文献４に開示の例が知られている。
【０００６】
【特許文献１】特開平１０−１７５７８２号公報
【特許文献２】特開平７−２５７８４３号公報
【特許文献３】特開平１１−１３９７０４号公報
【特許文献４】特開２００６−２９０５４３号公報
【発明の開示】
【発明が解決しようとする課題】
【０００７】
上述のように乗りかご内に設けられるかご位置個別表示装置については、従来一般的であった発光ダイオード方式に代えて液晶方式などのような高機能な方式を採用する例が増えてきている。また乗りかご内に設けられる行先階登録装置についても、従来一般的であった押しボタン方式に代えてタッチパネル方式などのような高機能な方式を採用する例が増えてきている。
【０００８】
ただ、高機能タイプのかご位置個別表示装置や行先階登録装置は、それぞれ採用例が増えてきているものの、エレベータの設置台数の全体に占める割合はまだ低い状態にある。そのため、高機能タイプのかご位置個別表示装置や行先階登録装置は、いわば特注品的な扱いとなっている。つまり、通常機能タイプである発光ダイオード方式のかご位置個別表示装置や押しボタン方式の行先階登録装置が汎用品としてニーズへの迅速な対応を行えるようになっているのに対して、高機能タイプのかご位置個別表示装置や行先階登録装置は、特注品的な扱いであるために、ニーズへの対応に多くの時間を要する状態にあるということである。
【０００９】
こうしたことは、高機能タイプのかご位置個別表示装置や行先階登録装置の故障時の対応に問題をもたらす。すなわち、かご位置個別表示装置や行先階登録装置が故障した場合、その現場での修理が困難であると、新たなかご位置個別表示装置や行先階登録装置に交換することで対応することになる。そしてその場合に、特注品的な扱いである高機能タイプのかご位置個別表示装置や行先階登録装置であると、交換用の装置を手当てするのに多くの時間を要し、その間、エレベータの利用者に多大な不便をかけてしまうことになる。
【００１０】
本発明は、以上のような事情を背景になされてものであり、高機能タイプのかご位置個別表示装置や行先階登録装置が乗りかご内に設けられているエレベータについて、それらの装置の故障時への対応を迅速に行えるようにすることを課題としている。
【課題を解決するための手段】
【００１１】
特注品的な扱いである高機能タイプのかご位置個別表示装置が故障した場合の装置交換による対応を迅速に行えるようにするには、通常機能タイプのかご位置個別表示装置で一時的に代替するのが有効である。すなわち、故障した高機能タイプのかご位置個別表示装置に代えて通常機能タイプのかご位置個別表示装置を取り付け、高機能タイプのかご位置個別表示装置の修理が完了するか、あるいは新たな高機能タイプのかご位置個別表示装置の手当てができるまでの一時的な処置として、その通常機能タイプのかご位置個別表示装置でエレベータの運行を行えるようにすることで、迅速性な対応が可能となる。
【００１２】
本発明は、以上のような考え方により上記課題を解決する。具体的には、現在のかご停止階や次のかご停止階の個別的な案内表示を行えるようにされたかご位置個別表示装置が乗りかご内に設けられているエレベータにおいて、前記かご位置個別表示装置として、高機能タイプかご位置個別表示装置と通常機能タイプかご位置個別表示装置を交換的に用いることができるようにされ、前記高機能タイプかご位置個別表示装置が用いられている場合の故障時の対応を、故障の高機能タイプかご位置個別表示装置を前記通常機能タイプかご位置個別表示装置に交換することでなせるようにされていることを特徴としている。
【００１３】
ここで、高機能タイプかご位置個別表示装置は、上述の液晶方式や有機ＥＬ素子方式などのように高精細な表示を可能とする方式が用いられるかご位置個別表示装置であり、そのような表示能を活用することで、エレベータ設置者の要望に応じて表示内容を任意に設定できるようにされるのが通常である。一方、通常機能タイプかご位置個別表示装置は、上述の発光ダイオード方式が用いられるかご位置個別表示装置であり、汎用品として表示内容が固定的なものとされているのが通常である。
【００１４】
上記のようなかご位置個別表示装置についての考え方は、行先階登録装置についても適用できる。したがって本発明では行先階登録装置について上記課題を解決するために、かご内に行先階登録装置が設けられているエレベータにおいて、前記行先階登録装置として、高機能タイプ行先階登録装置と通常機能タイプ行先階登録装置を交換的に用いることができるようにされ、前記高機能タイプ行先階登録装置が用いられている場合の故障時の対応を、故障の高機能タイプ行先階登録装置を前記通常機能タイプ行先階登録装置に交換することでなせるようにされていることを特徴としている。
【００１５】
こうした通常機能タイプの行先階登録装置での一時的に代替による故障時対応は、高機能タイプ行先階登録装置と通常機能タイプ行先階登録装置を２重構造で設ける方式によっても可能である。したがって本発明では行先階登録装置について上記課題を解決するために、乗りかご内に行先階登録装置組込み部が設けられているエレベータにおいて、前記行先階登録装置組込み部には、高機能タイプ行先階登録装置と通常機能タイプ行先階登録装置が２重構造で組み込まれており、前記高機能タイプ行先階登録装置を使用している状態で当該高機能タイプ行先階登録装置が故障した際には、故障の高機能タイプ行先階登録装置を取り外すことで前記通常機能タイプ行先階登録装置を使用できるようにすることにより故障時の対応をなせるようにされていることを特徴としている。
【００１６】
ここで、高機能タイプ行先階登録装置は、上述のタッチパネル方式などのように、行先階についての案内などといった多彩な表示を可能とする入力デバイス方式の行先階登録装置であるのが通常である。一方、通常機能タイプ行先階登録装置は、上述の押しボタン方式とされるのが通常である。
【発明の効果】
【００１７】
以上のような本発明によれば、高機能タイプのかご位置個別表示装置や行先階登録装置が乗りかご内に設けられているエレベータについて、それらの装置の故障時への対応を迅速に行えるようになる。
【発明を実施するための最良の形態】
【００１８】
以下、本発明を実施するための形態について説明する。図１に、一実施形態によるエレベータが複数台で群管理される場合の群管理システムの全体的な構成を示す。エレベータの群管理システムは、エレベータ制御装置１を備えている。エレベータ制御装置１は、群管理制御装置２を含むとともに、１台の群管理制御装置２による制御を受ける複数台（図の例では３台）の号機制御装置３（３ａ〜３ｃ）を含んでいる。号機制御装置３ａ〜３ｃは、群管理制御装置２による制御の下で、それぞれに対応する１〜３号機の各エレベータの乗りかご４ａ〜４ｃを制御する。乗りかご４には、その内部に行先階登録装置５が設けられ、またかご位置個別表示装置６が設けられている。一方、各階床乗場（図１には１Ｆと９Ｆについてだけ示してある）には、各号機に共通の乗場呼び釦８が設けられ、また１〜３号機の乗りかご４ａ〜４ｃそれぞれの乗場にサービスエレベータの案内のためのホールランタン（予約灯）９が設けられている。なお、階床乗場には、車いす専用乗場呼び釦や台車利用乗場呼び釦、地下駐車場専用乗場呼び釦などが設けられる場合もある。
【００１９】
このような群管理システムにおける制御用信号の接続関係は以下のようになっている。乗りかご４内に設けられている行先階登録装置５が利用者の行先階登録で出力する信号は号機制御装置３に入力する。一方、乗りかご４内に設けられているかご位置個別表示装置６は、群管理制御装置２との間で直接に信号の入力出力がなされる。
【００２０】
各階床乗場に設けられている乗場呼び釦８は、群管理制御装置２との間で直接に信号の入力出力がなされる。一方、各階床乗場に設けられているホールランタン９は、号機制御装置３を介して群管理制御装置２との間で信号を入出力する。
【００２１】
以上のような制御用信号の接続関係の下で、群管理制御装置２は、乗場呼び釦８からの信号、各号機制御装置３ａ〜３ｃから送られてくる乗りかご４ａ〜４ｃそれぞれの位置、移動方向、かご呼びの状況、乗りかご４ａ〜４ｃそれぞれの混雑度などの各情報に基づいて、新たに発生の乗場呼びに対して乗りかご４ａ〜４ｃのいずれかを割当て、該当する号機制御装置３ａ〜３ｃのいずれかに割当信号を送出する。また号機制御装置３ａ〜３ｃは、エレベータの走行制御、戸開閉制御等の号機に独立した制御を行い、その制御信号を群管理制御装置２へ出力する。また、群管理制御装置２からの割当信号によりホールランタン９を制御して待ち利用者に対して案内を行う。
【００２２】
以上はエレベータにおける一般的な構成である。次に、本実施形態に特徴的な構成について説明する。本実施形態で特徴的な構成は、行先階登録装置５やかご位置個別表示装置６が故障した場合の対応を迅速に行えるようになっていることにある。
【００２３】
まず、行先階登録装置５について説明する。行先階登録装置５として、通常は、図２に示すような高機能タイプの行先階登録装置５ＴＰを用いるものとする。行先階登録装置５ＴＰは、行先階についての案内などをエレベータ設置者の要望に応じて多彩な形態で表示可能とする入力デバイス方式、具体的には画面に手の指などで触れることで入力操作がなされるタッチパネル方式が用いられた特注品的な扱いの高機能タイプである。
【００２４】
このような通常的に用いられている行先階登録装置５ＴＰが故障した場合、現場での修理が可能であれば、それで対応する。一方、現場での修理が困難であるために新たな行先階登録装置に交換する必要がある場合には、図２に示すような通常機能タイプの行先階登録装置５ＰＢに交換する。行先階登録装置５ＰＢは、押しボタンを押して行先階を登録する押しボタン方式の通常機能タイプである。こうした行先階登録装置５ＰＢで故障の行先階登録装置５ＴＰを代替し、行先階登録装置５ＴＰの修理が完了するか、あるいは新たな行先階登録装置５ＴＰの手当てができるまでの一時的な処置として、行先階登録装置５ＰＢでエレベータの運行を行えるようにする。このようにすることで、特注品扱いでその交換品の手当てに時間を要するのが通常である行先階登録装置５ＴＰでも故障時への対応を迅速に行うことが可能となる。
【００２５】
行先階登録装置５ＴＰを行先階登録装置５ＰＢで代替できるようにするには、行先階登録装置５ＴＰと行先階登録装置５ＰＢを交換的に用いることができるようにする必要があり、それには２つの要件を満たしているのが望ましい。１つは、行先階登録装置５ＴＰと行先階登録装置５ＰＢが共通の機械的構造仕様を有することである。すなわち、行先階登録装置５ＴＰと行先階登録装置５ＰＢを共通の機械的構造仕様とし、行先階登録装置５ＴＰを取り外したあとに行先階登録装置５ＰＢを容易に取り付けることができるようにすることである。他の１つは、行先階登録装置５ＴＰと行先階登録装置５ＰＢが共通の通信プロトコルを有することである。すなわち、行先階登録装置５ＴＰと行先階登録装置５ＰＢそれぞれにおける通信プロトコルを共通とし、故障の行先階登録装置５ＴＰを行先階登録装置５ＰＢに交換した際に、行先階登録装置５ＰＢと号機制御装置３の間での信号の送受信について何らの処置も行う必要がないようにすることである。
【００２６】
ここで、通常的に用いられている行先階登録装置５ＴＰの故障時の対応を行先階登録装置５ＰＢによる代替で行うについては、行先階登録装置５ＴＰと行先階登録装置５ＰＢを２重構造で設けるようにすると、より迅速な故障対応を行えるようになる。
【００２７】
行先階登録装置５は、乗りかご４の戸袋部分に設置されているかご内操作盤１１に組み込むようにして設けられるのが一般的である。つまり、かご内操作盤１１には行先階登録装置組込み部１２が設けられており、この行先階登録装置組込み部１２に行先階登録装置５が組み込まれる。このような行先階登録装置５の設置構造について、行先階登録装置組込み部１２を２段構造とし、この２段構造の行先階登録装置組込み部１２に行先階登録装置５ＴＰと行先階登録装置５ＰＢを２重構造で組み込むようにする。そして通常使用の行先階登録装置５ＴＰが故障した際には、この故障行先階登録装置５ＴＰを取り外して行先階登録装置５ＰＢを使用できるようにすることで対応できるようにする。
【００２８】
次に、かご位置個別表示装置６について説明する。かご位置個別表示装置６として、通常は、図３に示すような高機能タイプのかご位置個別表示装置６ＬＣを用いるものとする。かご位置個別表示装置６ＬＣは、精細度の高い表示画像でより多彩な表示を可能とする液晶方式であり、そのような表示能を活用することで、エレベータ設置者の要望に応じた表示内容が設定されるなどした特注品的な扱いの高機能タイプである。
【００２９】
このような通常的に用いられているかご位置個別表示装置６ＬＣが故障した場合、現場での修理が可能であれば、それで対応する。一方、現場での修理が困難であるために新たなかご位置個別表示装置に交換する必要がある場合には、図２に示すような通常機能タイプのかご位置個別表示装置６ＬＤに交換する。かご位置個別表示装置６ＬＤは、発光ダイオード方式であり、汎用品として表示内容が固定的なものとされている通常機能タイプである。こうしたかご位置個別表示装置６ＬＤで故障のかご位置個別表示装置６ＬＣを代替し、かご位置個別表示装置６ＬＣの修理が完了するか、あるいは新たなかご位置個別表示装置６ＬＣの手当てができるまでの一時的な処置として、かご位置個別表示装置６ＬＤでエレベータの運行を行えるようにする。このようにすることで、特注品扱いでその交換品の手当てに時間を要するのが通常であるかご位置個別表示装置６ＬＣでも故障時への対応を迅速に行うことが可能となる。
【００３０】
かご位置個別表示装置６ＬＣをかご位置個別表示装置６ＬＤで代替できるようにするには、かご位置個別表示装置６ＬＣとかご位置個別表示装置６ＬＤを交換的に用いることができるようにする必要があり、それには２つの要件を満たしているのが望ましい。１つは、かご位置個別表示装置６ＬＣとかご位置個別表示装置６ＬＤが共通の機械的構造仕様を有することである。すなわち、かご位置個別表示装置６ＬＣとかご位置個別表示装置６ＬＤを共通の機械的構造仕様とし、かご位置個別表示装置６ＬＣを取り外したあとにかご位置個別表示装置６ＬＤを容易に取り付けることができるようにすることである。他の１つは、かご位置個別表示装置６ＬＣとかご位置個別表示装置６ＬＤが共通の通信プロトコルを有することである。すなわち、かご位置個別表示装置６ＬＣとかご位置個別表示装置６ＬＤそれぞれにおける通信プロトコルを共通とし、故障のかご位置個別表示装置６ＬＣをかご位置個別表示装置６ＬＤに交換した際に、かご位置個別表示装置６ＬＤと群管理制御装置２の間での信号の送受信について何らの処置も行う必要がないようにすることである。
【００３１】
以上、本発明を実施するための形態の１つについて説明したが、これは代表的な例に過ぎず、本発明は、その趣旨を逸脱することのない範囲で様々な形態で実施することができる。
【図面の簡単な説明】
【００３２】
【図１】一実施形態によるエレベータが複数台で群管理される場合の群管理システムの全体的な構成を示す図である。
【図２】行先階登録装置の故障時の対応をイメージ化して示す図である。
【図３】かご位置個別表示装置の故障時の対応をイメージ化して示す図である。
【符号の説明】
【００３３】
４        乗りかご
５        行先階登録装置
５ＴＰ    行先階登録装置
５ＰＢ    行先階登録装置
６        かご位置個別表示装置
６ＬＣ    かご位置個別表示装置
６ＬＤ    かご位置個別表示装置
１２      行先階登録装置組込み部
【図１】
2008150171.tif 000003
【図２】
2008150171.tif 000004
【図３】
2008150171.tif 000005